(57)【要約】【課題】可燃性ガス冷媒を用いた冷蔵庫において、可燃性ガス冷媒が漏れたとしても、庫内灯が着火源となり、可燃性ガス冷媒が発火、爆発することのないようにするため、電球とソケット部を一体に形成した防爆仕様の一体型庫内灯を、客先で容易に取外し取付けができるようにした冷蔵庫を提供する。【解決手段】防爆仕様を備えた一体型庫内灯１４を着脱自在に取り付け取り外しできる保持部を備えた庫内灯取付具１７を設け、同庫内灯取付具１７に前記一体型庫内灯１４を取付けた後、前記庫内灯取付具１７を前記ダクトカバー１１ａの庫内灯取付部１１ｂに着脱自在に配設し、前記一体型庫内灯１４の前面の前記庫内灯取付具１７には庫内灯カバー１８を有するように構成している。【選択図】  図２
2004251506.tif 000002
【特許請求の範囲】
【請求項１】
外箱と内箱間に断熱材を充填してなる断熱箱体の内部を複数の断熱仕切体によって上部の複数の貯蔵室と下部の冷凍室とに区画し、上部の前記貯蔵室の後方に冷蔵室背面ダクトを設け、同冷蔵室背面ダクトの前面側にダクトカバーを設け、同ダクトカバーに庫内灯取付部を設け、前記貯蔵室内を照らす前方にカバーを有する庫内灯取付具を設け、同庫内灯取付具に電球と端子を備えたソケット部を一体に形成した一体型庫内灯を取付け、前記冷蔵室背面ダクトに前記庫内灯取付具を配設し、前記庫内灯取付具に前記一体型庫内灯を保持する保持部を設け、前記一体型庫内灯を前記庫内灯取付具に着脱自在に取り付け取り外しできるようにするとともに、前記冷蔵室背面ダクトに前記庫内灯取付具を着脱自在に配設してなることを特徴とする冷蔵庫。
【請求項２】
前記庫内灯取付具の前記一体型庫内灯のソケット部のコネクタ部に対向する位置に、前記ソケット部のコネクタの保持部であるコネクタガイド部を設け、前記一体型庫内灯のソケット部のコネクタを前記庫内灯取付具のコネクタガイド部に着脱自在に取付け取外ししてなることを特徴とする請求項１記載の冷蔵庫。
【請求項３】
前記一体型庫内灯のソケット部の胴体に左右に延出する凸状の肉厚を有するツバ部を設け、前記庫内灯取付具に前記一体型庫内灯のツバ部に対向する位置に、コ字状を互いに向かい合わせて形成した保持部であるツバガイド部を設け、同ツバガイド部に前記一体型庫内灯のツバ部を挿入するようにしてなることを特徴とする請求項１または２記載の冷蔵庫。
【請求項４】
前記庫内灯取付具に前記一体型庫内灯のツバ部を上部より押さえるための複数の保持部である爪部を設け、前記ツバガイド部に前記一体型庫内灯のツバ部を挿入した後、前記爪部で前記一体型庫内灯のツバ部を上部より押さえて保持するようにしてなることを特徴とする請求項１乃至請求項３記載の冷蔵庫。
【請求項５】
前記庫内灯取付具の前面に、注意書き等の表示を刻印等で施してなることを特徴とする請求項１乃至請求項４記載の冷蔵庫。
【発明の詳細な説明】
【０００１】
【発明の属する技術分野】
本発明は冷蔵庫に係わり、詳しくは、可燃性冷媒を使用した冷蔵庫の上部貯蔵室内を照らす防爆用の一体型庫内灯を着脱できるようにした冷蔵庫の構造に関するものである。
【０００２】
【従来の技術】
冷蔵庫には、例えば図６および図７に示すように、外箱２と内箱３間に断熱材４を充填してなる断熱箱体１の内部を断熱仕切体５、６によって上部の冷蔵室７と中央の野菜室８と下部の冷凍室９とに区画し、前記冷蔵室７内の奥背面の上下方向に、冷気を生成し送出する冷気生成室１０と連なる冷蔵室背面ダクト１１を形成し、同冷蔵室背面ダクト１１の内部にソケット部３０が固着され、同ソケット部３０の受金３０ａに口金３１ａを捻じ込まれた庫内灯３１を配置し、前記冷蔵室背面ダクト１１の前面側にダクトカバー１１ａを設け、同ダクトカバー１１ａの上部に前記庫内灯３１の庫内灯カバー３４を有する構成であった。
【０００３】
前記庫内灯３１の故障等により交換作業が客先で生じた場合、前記庫内灯カバー３４を外し、前記ソケット部３０より前記庫内灯３１を取付け時と逆方向に回転させて取り外し、新しい前記庫内灯３１を前記ソケット部３０に捻じ込み、前記庫内灯カバー３４を取付けることにより、客先での前記庫内灯３１の交換作業が完了する。
【０００４】
特に可燃性ガス冷媒を用いた冷蔵庫においては、可燃性ガス冷媒が漏れていると、振動などによる口金３１ａの緩みで、不安定な接続状態が起き、また、結露してソケット部３０の内部に浸入し、短絡発生の原因となったり、そして、前記庫内灯３１を前記ソケット部３０に取付け取外し時のスパークの発生が着火源となり、可燃性ガス冷媒が発火、爆発する恐れがあった。
【０００５】
そこで、防爆用の庫内灯として、図４で示すように、電球１３と端子１２ａを有するソケット部１２とを一体形成した一体型庫内灯１４が開発された。同一体型庫内灯１４の前記端子１２ａに、冷蔵庫内から電源供給するためのコネクタ１６を接続し、防爆仕様を備えた一体型庫内灯１４の電源の接続方法となる。
【０００６】
しかしながら、可燃性ガス冷媒を用いた冷蔵庫において、従来の冷蔵庫の構成では、前記ソケット部１２が前記冷蔵室背面ダクト１１の内部に固着されることになり、前記一体型庫内灯１４の故障等による交換作業が生じた場合、前記冷蔵室背面ダクト１１の分解を伴う作業が必要となり、顧客での交換作業ができなくなる恐れや、前記一体型庫内灯１４を顧客で交換できるようにするためには、前記一体型庫内灯１４のソケット部１２を取付ける取付具を設け、前記冷蔵室背面ダクト１１に取付け、前記コネクタ１６をその近傍に自在に接続できるように配設しておく必要があり、構成が複雑となり、部品点数も多くコスト的に不利となる恐れのある問題を有していた。
【０００７】
【発明が解決しようとする課題】
本発明においては、上記の問題点に鑑み、可燃性ガス冷媒を用いた冷蔵庫において、電球とソケット部を一体に形成した防爆仕様の一体型庫内灯を、少ない部品点数で簡単な構成とし、客先で容易に取外し取付けができるようにした冷蔵庫を提供することを目的としている。
【０００８】
【課題を解決するための手段】
本発明は、上記問題点を解決するため、外箱と内箱間に断熱材を充填してなる断熱箱体の内部を複数の断熱仕切体によって上部の複数の貯蔵室と下部の冷凍室とに区画し、上部の前記貯蔵室の後方に冷蔵室背面ダクトを設け、同冷蔵室背面ダクトの前面側にダクトカバーを設け、同ダクトカバーに庫内灯取付部を設け、前記貯蔵室内を照らす前方にカバーを有する庫内灯取付具を設け、同庫内灯取付具に電球と端子を備えたソケット部を一体に形成した一体型庫内灯を取付け、前記冷蔵室背面ダクトに前記庫内灯取付具を配設し、前記庫内灯取付具に前記一体型庫内灯を保持する保持部を設け、前記一体型庫内灯を前記庫内灯取付具に着脱自在に取り付け取り外しできるようにするとともに、前記冷蔵室背面ダクトに前記庫内灯取付具を着脱自在に配設した構成となっている。
【０００９】
前記庫内灯取付具の前記一体型庫内灯のソケット部のコネクタ部に対向する位置に、前記ソケット部のコネクタの保持部であるコネクタガイド部を設け、前記一体型庫内灯のソケット部のコネクタを前記庫内灯取付具のコネクタガイド部に着脱自在に取付け取外しした構成となっている。
【００１０】
前記一体型庫内灯のソケット部の胴体に左右に延出する凸状の肉厚を有するツバ部を設け、前記庫内灯取付具に前記一体型庫内灯のツバ部に対向する位置に、コ字状を互いに向かい合わせて形成した保持部であるツバガイド部を設け、同ツバガイド部に前記一体型庫内灯のツバ部を挿入するようにした構成となっている。
【００１１】
前記庫内灯取付具に前記一体型庫内灯のツバ部を上部より押さえるための複数の保持部である爪部を設け、前記ツバガイド部に前記一体型庫内灯のツバ部を挿入した後、前記爪部で前記一体型庫内灯のツバ部を上部より押さえて保持するようにした構成となっている。
【００１２】
前記庫内灯取付具の前面に、注意書き等の表示を刻印等で施した構成となっている。
【００１３】
【発明の実施の形態】
以下、本発明の実施の形態を、添付図面に基づいた実施例として説明する。
図１は本発明による一実施例の冷蔵庫の形態を示す側断面図であり、図２は図１の本発明による一実施例の要部拡大側断面図であり、図３は本発明による一実施例の冷蔵庫の庫内灯取付部の形態を示す要部拡大斜視図であり、図４は本発明による一実施例の庫内灯の形態を示す斜視図であり、図５は本発明による一実施例の庫内灯とその取付具の形態を示す斜視図（Ａ）と取付状態を示す裏面図（Ｂ）である。
なお、従来と同じ部分の符号は同一とする。
【００１４】
図において、１は鋼板製の外箱２と、合成樹脂製の内箱３と、発泡断熱材４等からなる断熱箱体（冷蔵庫本体ともいう）で、その内部は断熱仕切体５、６によって、上部の冷蔵室７と、中央の野菜室８と、下部の冷凍室９とに区画形成されている。
【００１５】
前記冷蔵室７内の奥背面の上下方向に、冷気を生成し送出する冷気生成室１０と連なる冷蔵室背面ダクト１１を形成し、同冷蔵室背面ダクト１１の前面側にダクトカバー１１ａを設け、同ダクトカバー１１ａの上部に庫内灯取付部１１ｂを設けている。
【００１６】
一方、図３および図４で示すように、電球１３と端子１２ａを備えたソケット部１２を一体に形成した一体型庫内灯１４を配置し、冷蔵庫内から電源供給するためのコネクタ１６を備えたリード線１５が庫内から前記冷蔵室背面ダクト１１の庫内灯取付部１１ｂに配設され、前記一体型庫内灯１４の端子１２ａに、前記コネクタ１６を接続するようになっている。前記端子１２ａと前記コネクタ１６を接続することにより防爆仕様を備えた一体型庫内灯１４の電源接続となる。
【００１７】
そして、前記一体型庫内灯１４を着脱自在に取り付け取り外しできる保持部を備えた庫内灯取付具１７を設け、同庫内灯取付具１７に前記一体型庫内灯１４を取付けた後、前記庫内灯取付具１７を前記ダクトカバー１１ａの庫内灯取付部１１ｂに着脱自在に配設し、前記一体型庫内灯１４の前面の前記庫内灯取付具１７には庫内灯カバー１８を有するように構成している。
【００１８】
前記庫内灯取付具１７の前記庫内灯取付部１１ｂへの取付方法は、前記庫内灯取付具１７の両側の上部奥部に凹部１７ｅを設け、底面両端に凹溝部１７ｆを設け、前記庫内灯取付部１１ｂの前記凹部１７ｅに対向する位置に凸部１１ｃを設け、前記凹溝部１７ｆに対向する位置に凸状のガイド１１ｄを設け、下部中央前端面にストッパ１１ｅを設けている。
【００１９】
上記のように構成された前記庫内灯取付具１７を前記庫内灯取付部１１ｂの斜め上部より挿入し、前記庫内灯取付部１１ｂの凸状のガイド１１ｄに前記庫内灯取付具１７の凹溝部１７ｆを嵌め合わせ、前記庫内灯取付部１１ｂの凸部１１ｃに前記庫内灯取付具１７の凹部１７ｅを嵌め込み、前記庫内灯取付具１７の底面中央前端面を前記庫内灯取付部１１ｂのストッパ１１ｅで固定するようにしている。
【００２０】
本発明の詳細について、図３乃至図５を参照して説明する。前記庫内灯取付具１７の前記一体型庫内灯１４のソケット部端子１２ａと接続した前記コネクタ１６に対向する位置に、前記コネクタ１６の両側をガイドする前方に延出させたＬ形状のコネクタガイド部１７ａを両側に設け、前記コネクタ１６を前記庫内灯取付具１７のコネクタガイド部１７ａに着脱自在に取付け取外しできるようにしている。
【００２１】
また、前記一体型庫内灯１４のソケット部１２の胴体に左右に延出する凸状の肉厚を有するツバ部１２ｂを設け、前記庫内灯取付具１７の前記一体型庫内灯１４のツバ部１２ｂ先端に対向する位置に、コ字状を互いに向かい合わせにし前方に延出させて形成したツバガイド部１７ｂを両側に設け、同ツバガイド部１７ｂに前記一体型庫内灯１４のツバ部１２ｂを挿入するようにしている。
【００２２】
また、前記庫内灯取付具１７に前記一体型庫内灯１４のツバ部１２ｂを上部より押さえるための複数の爪部１７ｃを設け、前記ツバガイド部１７ｂに前記一体型庫内灯１４のツバ部１２ｂを挿入した後、前記爪部１７ｃで前記一体型庫内灯１４のツバ部１２ｂを上部より押さえて保持するようにしている。
【００２３】
なお、前記一体型庫内灯１４の故障等により交換作業が客先で生じた場合、前記庫内灯取付具１７を前記ダクトカバー１１ａの庫内灯取付部１１ｂから前記庫内灯取付具１７の前方を持ち上げるようにして斜め上方向に引き出して外し、次に前記庫内灯取付具１７の爪部１７ｃを前記一体型庫内灯１４のツバ部１２ｂより外すとともに、前記庫内灯取付具１７のツバガイド部１７ｂおよび前記コネクタガイド部１７ａから前記一体型庫内灯１４のツバ部１２ｂを取出し、前記一体型庫内灯１４のソケット部端子１２ａと接続されている前記コネクタ１６から前記ソケット部端子１２ａを抜いて離し、新しい前記一体型庫内灯１４を、上記に述べた手順で行うことにより、客先での前記一体型庫内灯１４の交換作業が完了する。
【００２４】
上記構成により、可燃性ガス冷媒を用いた冷蔵庫において、防爆仕様を備えた前記一体型庫内灯１４を着脱自在に取付けた前記庫内灯取付具１７を前記冷蔵室背面ダクト１１の庫内灯取付部１１ｂに着脱自在に配設することにより、作業性も良く、客先での取外し取付けが面倒になる恐れや、構成が複雑となり、部品点数も多くコスト的に不利となる恐れのある問題を無くすことができる。
【００２５】
そして、図３で示したように、前記庫内灯取付具１７の前面に、前記一体型庫内灯１４の交換時の注意書き等の表示部１７ｄを設け、同表示部１７ｄに刻印等を施して、顧客先での注意を喚起しており、ラベル等の代替部品を使用しないで済むため、部品点数を削減でき、作業性の向上を図ることができる。
【００２６】
【発明の効果】
以上説明したように、本発明によれば、可燃性ガス冷媒を用いた冷蔵庫において、電球とソケット部を一体に形成した防爆仕様の一体型庫内灯を、少ない部品点数で簡単な構成とし、客先で容易に取外し取付けができるようにした冷蔵庫となる。
【図面の簡単な説明】
【図１】本発明による一実施例の冷蔵庫の形態を示す側断面図である。
【図２】図１の本発明による一実施例の要部拡大側断面図である。
【図３】本発明による一実施例の冷蔵庫の庫内灯取付部の形態を示す要部拡大斜視図である。
【図４】本発明による一実施例の庫内灯の形態を示す斜視図である。
【図５】本発明による一実施例の庫内灯とその取付具の形態を示す斜視図（Ａ）と取付状態を示す裏面図（Ｂ）である。
【図６】従来例の冷蔵庫の形態を示す側断面図である。
【図７】従来例の冷蔵庫の庫内灯取付部の形態を示す要部拡大断面図である。
【符号の説明】
１  断熱箱体（冷蔵庫本体）
２  外箱
３  内箱
４  断熱材
５、６  断熱仕切体
７  冷蔵室
８  野菜室
９  冷凍室
１０  冷気生成室
１１  冷蔵室背面ダクト
１２  ソケット部
１３  電球
１４  一体型庫内灯
１５  リード線
１６  コネクタ
１７  庫内灯取付具
１８  庫内灯カバー
【図１】
2004251506.tif 000003
【図２】
2004251506.tif 000004
【図３】
2004251506.tif 000005
【図４】
2004251506.tif 000006
【図５】
2004251506.tif 000007
【図６】
2004251506.tif 000008
【図７】
2004251506.tif 000009